(57)【特許請求の範囲】
【請求項１】
パラメータを入力するためのパラメータ入力装置であって、
パラメータを表すパラメータ候補のそれぞれに対応する複数の選択対象エリアを含む第一種の操作画面と、パラメータが直接入力される入力対象エリアを含む第二種の操作画面と、のうちの何れかを含む第一操作画面と、選択対象エリアと入力対象エリアとを含まない第二操作画面と、を表示部に表示する第一制御手段と、
前記表示部に表示されている前記第一種の操作画面で、選択対象とされている特定の選択対象エリアを示す選択画像を、複数の選択対象エリア間で移動させる操作であって、選択操作エリアに対して入力される選択操作を受け付ける選択移動入力部と、前記表示部に表示されている前記第二種の操作画面で、入力対象エリアにパラメータを直接入力する操作であって、パラメータ操作エリアに対して入力される入力操作を受け付けるパラメータ直接入力部と、を含む操作部と、
前記選択移動入力部を選択操作を受け付けることができる有効な状態とし、前記パラメータ直接入力部を入力操作を受け付けることができる有効な状態とする第二制御手段と、を備え、
前記第二制御手段は、
前記選択移動入力部を有効な状態とした場合、前記パラメータ直接入力部を有効な状態とせず、
前記パラメータ直接入力部を有効な状態とした場合、前記選択移動入力部を有効な状態とせず、
前記第一制御手段によって、前記第一種の操作画面が前記表示部に表示される場合、前記選択移動入力部を有効な状態とし、パラメータ操作エリアを第一色とせずに、選択操作エリアを第一色とは系の異なる第二色とし、
前記第一制御手段によって、前記第二種の操作画面が前記表示部に表示される場合、前記パラメータ直接入力部を有効な状態とし、選択操作エリアを第二色とせずに、パラメータ操作エリアを第一色とし、
前記第一制御手段によって、前記第二操作画面が前記表示部に表示される場合、前記選択移動入力部を有効な状態とせず、選択操作エリアを第二色とせず、前記パラメータ直接入力部を有効な状態とせず、パラメータ操作エリアを第一色とせず、
前記第一制御手段は、
前記第一種の操作画面を、前記表示部に表示する場合、選択画像を第二色と同一色又は同系色とし、
前記第二種の操作画面を、前記表示部に表示する場合、入力対象エリアを第一色と同一色又は同系色とする、パラメータ入力装置。
【請求項２】
前記第一制御手段は、前記第一種の操作画面が選択画像を第二色と同一色又は同系色とした状態で前記表示部に表示され、前記第二制御手段によって、前記選択移動入力部が有効な状態とされ、前記選択移動入力部によって選択操作が受け付けられた場合、選択画像を、第二色と同一色又は同系色とした状態のまま、前記選択移動入力部によって受け付けられた選択操作に応じた選択対象エリアに移動させ、
前記第二制御手段は、前記第一制御手段によって、前記第一種の操作画面が選択画像を第二色と同一色又は同系色とした状態で前記表示部に表示され、前記選択移動入力部が有効な状態とされ、前記選択移動入力部によって選択操作が受け付けられた場合、前記選択移動入力部を有効な状態のままとする、請求項１に記載のパラメータ入力装置。
【請求項３】
前記第一制御手段は、デフォルトの入力項目として設定された第一パラメータが直接入力される入力対象エリアとしての第一入力対象エリアと、第二パラメータが直接入力される入力対象エリアとしての第二入力対象エリアと、を含む前記第二種の操作画面を、前記表示部に表示する場合、初期の表示状態として、第二入力対象エリアを第一色と同一色又は同系色とせずに、第一入力対象エリアを第一色と同一色又は同系色とし、初期の表示状態から、第二パラメータが入力項目として設定された表示状態への移行に伴い、第一入力対象エリアを第一色と同一色又は同系色とせずに、第二入力対象エリアを第一色と同一色又は同系色とし、
前記第二制御手段は、前記第一制御手段によって、第一入力対象エリアと第二入力対象エリアとを含む前記第二種の操作画面が前記表示部に表示される場合、前記パラメータ直接入力部を有効な状態とする、請求項１又は請求項２に記載のパラメータ入力装置。
【請求項４】
前記第一制御手段は、デフォルトの入力項目として設定された第三パラメータを表す第一パラメータ候補のそれぞれに対応する選択対象エリアとしての複数の第一選択対象エリアと、第四パラメータを表す第二パラメータ候補のそれぞれに対応する選択対象エリアとしての複数の第二選択対象エリアと、を含む前記第一種の操作画面を、前記表示部に表示する場合、初期の表示状態として、複数の第二選択対象エリアに対する選択画像を第二色と同一色又は同系色とせずに、選択対象とされている特定の第一選択対象エリアを示す選択画像を第二色と同一色又は同系色とし、初期の表示状態から、第四パラメータが入力項目として設定された表示状態への移行に伴い、複数の第一選択対象エリアに対する選択画像を第二色と同一色又は同系色とせずに、選択対象とされている特定の第二選択対象エリアを示す選択画像を第二色と同一色又は同系色とし、
前記第二制御手段は、前記第一制御手段によって、第一選択対象エリアと第二選択対象エリアとを含む前記第一種の操作画面が前記表示部に表示される場合、前記選択移動入力部を有効な状態とする、請求項１から請求項３の何れか１項に記載のパラメータ入力装置。
【請求項５】
前記第一制御手段は、
前記第一操作画面として、複数の選択対象エリアと、入力対象エリアと、を含み、選択対象エリアに対応するパラメータ候補が表すパラメータと、入力対象エリアに直接入力されるパラメータと、の何れかが、デフォルトの入力項目として設定された第三種の操作画面を、前記表示部に表示し、
選択対象エリアに対応するパラメータ候補が表すパラメータがデフォルトの入力項目として設定された前記第三種の操作画面を、前記表示部に表示する場合、初期の表示状態として、入力対象エリアを第一色と同一色又は同系色とせずに、選択画像を第二色と同一色又は同系色とし、初期の表示状態から、入力対象エリアに直接入力されるパラメータが入力項目として設定された表示状態への移行に伴い、複数の選択対象エリアに対する選択画像を第二色と同一色又は同系色とせずに、入力対象エリアを第一色と同一色又は同系色とし、
入力対象エリアに直接入力されるパラメータがデフォルトの入力項目として設定された前記第三種の操作画面を、前記表示部に表示する場合、初期の表示状態として、複数の選択対象エリアに対する選択画像を第二色と同一色又は同系色とせずに、入力対象エリアを第一色と同一色又は同系色とし、初期の表示状態から、選択対象エリアに対応するパラメータ候補が表すパラメータが入力項目として設定された表示状態への移行に伴い、入力対象エリアを第一色と同一色又は同系色とせずに、選択画像を第二色と同一色又は同系色とし、
前記第二制御手段は、
前記第一制御手段によって、選択対象エリアに対応するパラメータ候補が表すパラメータがデフォルトの入力項目として設定された前記第三種の操作画面が、前記表示部に表示される場合、初期の表示状態のタイミングでは、前記選択移動入力部を有効な状態とし、パラメータ操作エリアを第一色とせずに、選択操作エリアを第二色とし、初期の表示状態から、入力対象エリアに直接入力されるパラメータが入力項目として設定された表示状態への移行に伴い、前記パラメータ直接入力部を有効な状態とし、選択操作エリアを第二色とせずに、パラメータ操作エリアを第一色とし、
前記第一制御手段によって、入力対象エリアに直接入力されるパラメータがデフォルトの入力項目として設定された前記第三種の操作画面が、前記表示部に表示される場合、初期の表示状態のタイミングでは、前記パラメータ直接入力部を有効な状態とし、選択操作エリアを第二色とせずに、パラメータ操作エリアを第一色とし、初期の表示状態から、選択対象エリアに対応するパラメータ候補が表すパラメータが入力項目として設定された表示状態への移行に伴い、前記選択移動入力部を有効な状態とし、パラメータ操作エリアを第一色とせずに、選択操作エリアを第二色とする、請求項１から請求項４の何れか１項に記載のパラメータ入力装置。
【請求項６】
前記操作部は、前記第一操作画面と前記第二操作画面とを含む操作画面であって、前記表示部に表示中の表示中操作画面を、前記表示中操作画面が表示される１つ前の操作画面に戻す操作、又は、前記表示中操作画面を、メインとされる操作画面に戻す操作であって、選択対象エリア及び入力対象エリアとは異なる操作エリアに対して入力される遷移操作を受け付ける遷移指示入力部を含み、
前記遷移指示入力部は、前記第二制御手段によって、前記選択移動入力部が有効な状態とされている場合と、前記第二制御手段によって、前記パラメータ直接入力部が有効な状態とされている場合と、で遷移操作を受け付けることができる有効な状態とされる、請求項１から請求項５の何れか１項に記載のパラメータ入力装置。
【請求項７】
前記操作部は、
発光体と、
第一色の光を透過し、前記パラメータ直接入力部におけるパラメータ操作エリアに対応する第一スリットと、第二色の光を透過し、前記選択移動入力部における選択操作エリアに対応する第二スリットと、が形成されたパネルと、によって形成され、
前記第二制御手段は、
前記選択移動入力部を有効な状態とする場合、第二色の光が発光される状態で前記発光体を発光させ、
前記パラメータ直接入力部を有効な状態とする場合、第一色の光が発光される状態で前記発光体を発光させる、請求項１から請求項６の何れか１項に記載のパラメータ入力装置。
【請求項８】
前記第一スリットは、パラメータ操作エリアを形成し、
前記第二スリットは、選択操作エリアを形成し、
選択操作エリアとパラメータ操作エリアの各位置は重なり合う、請求項７に記載のパラメータ入力装置。
【請求項９】
前記第二制御手段は、
前記選択移動入力部を有効な状態とする場合、選択操作エリアを第二色で点滅させ、所定時間経過したタイミングで、選択操作エリアを第二色で点灯させた状態とし、
前記パラメータ直接入力部を有効な状態とする場合、パラメータ操作エリアを第一色で点滅させ、所定時間経過したタイミングで、パラメータ操作エリアを第一色で点灯させた状態とし、
前記第一制御手段は、
前記第二制御手段によって、前記選択移動入力部が有効な状態とされる場合、第二色で点滅する選択操作エリアと同期したタイミングで、選択画像を第二色と同一色又は同系色で点滅させ、第二色で点灯する選択操作エリアと同期したタイミングで、点滅する選択画像を第二色と同一色又は同系色で点灯し、
前記第二制御手段によって、前記パラメータ直接入力部が有効な状態とされる場合、第一色で点滅するパラメータ操作エリアと同期したタイミングで、入力対象エリアを第一色と同一色又は同系色で点滅させ、第一色で点灯するパラメータ操作エリアと同期したタイミングで、点滅する入力対象エリアを第一色と同一色又は同系色で点灯する、請求項１から請求項８の何れか１項に記載のパラメータ入力装置。
【請求項１０】
請求項１から請求項９の何れか１項に記載のパラメータ入力装置を備え、前記パラメータ入力装置で入力されたパラメータに従った画像形成処理を実行する、画像形成装置。
【発明の詳細な説明】
【技術分野】
【０００１】
本発明は、パラメータ入力装置及び画像形成装置に関する。
【背景技術】
【０００２】
従来から、所定の装置を動作させるためのパラメータの入力に関する技術が提案されている（例えば、特許文献１参照）。特許文献１には、携帯電話が開示されている。携帯電話では、通話、メールおよびカメラに関連する設定を行うための設定画面が液晶モニタにマルチウィンドウ表示される。マルチウィンドウ表示された各ウィンドウの色は、設定画面に応じて異なる。キー操作部の入力キーは、複数色に点灯可能とされる。各入力キーの点灯色は、アクティブなウィンドウの色と同一にされる。
【先行技術文献】
【特許文献】
【０００３】
【特許文献１】特開２００３−２８３６３５号公報
【発明の概要】
【発明が解決しようとする課題】
【０００４】
ところで、所定の装置を動作させるためのパラメータには、種々のものがある。ユーザは、表示部に表示された、パラメータを入力するための操作画面を視認しながら、操作部を適宜操作しなければならない。このとき、パラメータ入力に必要な操作部を、スムーズに理解できない場合もある。
【０００５】
本発明は、パラメータの入力を好適に行うことができる、パラメータ入力装置及び画像形成装置を提供することを目的とする。
【課題を解決するための手段】
【０００６】
上記従来の課題に鑑みなされた本発明は、パラメータを入力するためのパラメータ入力装置であって、パラメータを入力するための操作画面を、表示部に表示する制御手段と、前記操作画面を操作するための操作部と、を備え、前記制御手段は、前記操作画面を前記表示部に表示する場合、前記操作画面のうち、前記操作部による操作の対象となる対象エリアと、前記操作部と、を共通する視認態様とする、パラメータ入力装置である。これによれば、操作の対象となる対象エリアと、操作部との関係を、視覚的に報知することができる。このような態様とされた対象エリア及び操作部を視認したユーザは、両者の関係を視覚的に理解することができる。共通する視認態様には、対象エリアと、操作部とを共通する表示スタイルとすることが含まれる。例えば、対象エリアと、操作部とを同一色又は同系色とすることが含まれる。また、両者を共通するパターンで点滅させてもよい。この他、両者に、共通する模様を付してもよい。即ち、共通する視認態様は、ユーザが視認する視覚的要素を対象として、これが同様の態様であることを意味する。
【０００７】
本発明の一側面は、パラメータを入力するためのパラメータ入力装置であって、パラメータを表すパラメータ候補のそれぞれに対応する複数の選択対象エリアを含む第一種の操作画面と、パラメータが直接入力される入力対象エリアを含む第二種の操作画面と、のうちの何れかを含む第一操作画面と、選択対象エリアと入力対象エリアとを含まない第二操作画面と、を表示部に表示する第一制御手段と、前記表示部に表示されている前記第一種の操作画面で、選択対象とされている特定の選択対象エリアを示す選択画像を、複数の選択対象エリア間で移動させる操作であって、選択操作エリアに対して入力される選択操作を受け付ける選択移動入力部と、前記表示部に表示されている前記第二種の操作画面で、入力対象エリアにパラメータを直接入力する操作であって、パラメータ操作エリアに対して入力される入力操作を受け付けるパラメータ直接入力部と、を含む操作部と、前記選択移動入力部を選択操作を受け付けることができる有効な状態とし、前記パラメータ直接入力部を入力操作を受け付けることができる有効な状態とする第二制御手段と、を備え、前記第二制御手段は、前記選択移動入力部を有効な状態とした場合、前記パラメータ直接入力部を有効な状態とせず、前記パラメータ直接入力部を有効な状態とした場合、前記選択移動入力部を有効な状態とせず、前記第一制御手段によって、前記第一種の操作画面が前記表示部に表示される場合、前記選択移動入力部を有効な状態とし、パラメータ操作エリアを第一色とせずに、選択操作エリアを第一色とは系の異なる第二色とし、前記第一制御手段によって、前記第二種の操作画面が前記表示部に表示される場合、前記パラメータ直接入力部を有効な状態とし、選択操作エリアを第二色とせずに、パラメータ操作エリアを第一色とし、前記第一制御手段によって、前記第二操作画面が前記表示部に表示される場合、前記選択移動入力部を有効な状態とせず、選択操作エリアを第二色とせず、前記パラメータ直接入力部を有効な状態とせず、パラメータ操作エリアを第一色とせず、前記第一制御手段は、前記第一種の操作画面を、前記表示部に表示する場合、選択画像を第二色と同一色又は同系色とし、前記第二種の操作画面を、前記表示部に表示する場合、入力対象エリアを第一色と同一色又は同系色とする、パラメータ入力装置である。これによれば、特定の選択対象エリアを、複数の選択対象エリアの中から選択するために、選択操作エリアに対して選択操作を入力することを報知することができる。また、選択移動入力部によって選択の候補として指定されている特定の選択対象エリアを報知することができる。パラメータ操作エリアに対してパラメータの入力操作を直接入力することを報知することができる。特定の選択対象エリアを示す選択画像及び選択移動入力部における選択操作エリアの視認態様（表示スタイル）を第二色で共通とし、入力対象エリア及びパラメータ直接入力部におけるパラメータ操作エリアの視認態様（表示スタイル）を第一色で共通とすることができる。特定の選択対象エリアを示す選択画像と、選択移動入力部における選択操作エリアとの関係、及び、入力対象エリアと、パラメータ直接入力部におけるパラメータ操作エリアとの関係を、視覚的に報知することができる。
【０００８】
このパラメータ入力装置は、次のような構成とすることもできる。前記第一制御手段は、前記第一種の操作画面が選択画像を第二色と同一色又は同系色とした状態で前記表示部に表示され、前記第二制御手段によって、前記選択移動入力部が有効な状態とされ、前記選択移動入力部によって選択操作が受け付けられた場合、選択画像を、第二色と同一色又は同系色とした状態のまま、前記選択移動入力部によって受け付けられた選択操作に応じた選択対象エリアに移動させ、前記第二制御手段は、前記第一制御手段によって、前記第一種の操作画面が選択画像を第二色と同一色又は同系色とした状態で前記表示部に表示され、前記選択移動入力部が有効な状態とされ、前記選択移動入力部によって選択操作が受け付けられた場合、前記選択移動入力部を有効な状態のままとする、ようにしてもよい。これによれば、選択操作に対応させ、選択画像を、移動させることができる。
【０００９】
また、前記第一制御手段は、デフォルトの入力項目として設定された第一パラメータが直接入力される入力対象エリアとしての第一入力対象エリアと、第二パラメータが直接入力される入力対象エリアとしての第二入力対象エリアと、を含む前記第二種の操作画面を、前記表示部に表示する場合、初期の表示状態として、第二入力対象エリアを第一色と同一色又は同系色とせずに、第一入力対象エリアを第一色と同一色又は同系色とし、初期の表示状態から、第二パラメータが入力項目として設定された表示状態への移行に伴い、第一入力対象エリアを第一色と同一色又は同系色とせずに、第二入力対象エリアを第一色と同一色又は同系色とし、前記第二制御手段は、前記第一制御手段によって、第一入力対象エリアと第二入力対象エリアとを含む前記第二種の操作画面が前記表示部に表示される場合、前記パラメータ直接入力部を有効な状態とする、ようにしてもよい。これによれば、ユーザに、操作画面の操作に用いる操作部を、スムーズに理解させることが可能で、パラメータ直接入力部におけるパラメータ操作エリアとは異なる部分を誤って操作してしまうといったことを防止することができる。
【００１０】
また、前記第一制御手段は、デフォルトの入力項目として設定された第三パラメータを表す第一パラメータ候補のそれぞれに対応する選択対象エリアとしての複数の第一選択対象エリアと、第四パラメータを表す第二パラメータ候補のそれぞれに対応する選択対象エリアとしての複数の第二選択対象エリアと、を含む前記第一種の操作画面を、前記表示部に表示する場合、初期の表示状態として、複数の第二選択対象エリアに対する選択画像を第二色と同一色又は同系色とせずに、選択対象とされている特定の第一選択対象エリアを示す選択画像を第二色と同一色又は同系色とし、初期の表示状態から、第四パラメータが入力項目として設定された表示状態への移行に伴い、複数の第一選択対象エリアに対する選択画像を第二色と同一色又は同系色とせずに、選択対象とされている特定の第二選択対象エリアを示す選択画像を第二色と同一色又は同系色とし、前記第二制御手段は、前記第一制御手段によって、第一選択対象エリアと第二選択対象エリアとを含む前記第一種の操作画面が前記表示部に表示される場合、前記選択移動入力部を有効な状態とする、ようにしてもよい。これによれば、ユーザに、操作画面の操作に用いる操作部を、スムーズに理解させることが可能で、選択移動入力部における選択操作エリアとは異なる部分を誤って操作してしまうといったことを防止することができる。
【００１１】
また、前記第一制御手段は、前記第一操作画面として、複数の選択対象エリアと、入力対象エリアと、を含み、選択対象エリアに対応するパラメータ候補が表すパラメータと、入力対象エリアに直接入力されるパラメータと、の何れかが、デフォルトの入力項目として設定された第三種の操作画面を、前記表示部に表示し、選択対象エリアに対応するパラメータ候補が表すパラメータがデフォルトの入力項目として設定された前記第三種の操作画面を、前記表示部に表示する場合、初期の表示状態として、入力対象エリアを第一色と同一色又は同系色とせずに、選択画像を第二色と同一色又は同系色とし、初期の表示状態から、入力対象エリアに直接入力されるパラメータが入力項目として設定された表示状態への移行に伴い、複数の選択対象エリアに対する選択画像を第二色と同一色又は同系色とせずに、入力対象エリアを第一色と同一色又は同系色とし、入力対象エリアに直接入力されるパラメータがデフォルトの入力項目として設定された前記第三種の操作画面を、前記表示部に表示する場合、初期の表示状態として、複数の選択対象エリアに対する選択画像を第二色と同一色又は同系色とせずに、入力対象エリアを第一色と同一色又は同系色とし、初期の表示状態から、選択対象エリアに対応するパラメータ候補が表すパラメータが入力項目として設定された表示状態への移行に伴い、入力対象エリアを第一色と同一色又は同系色とせずに、選択画像を第二色と同一色又は同系色とし、前記第二制御手段は、前記第一制御手段によって、選択対象エリアに対応するパラメータ候補が表すパラメータがデフォルトの入力項目として設定された前記第三種の操作画面が、前記表示部に表示される場合、初期の表示状態のタイミングでは、前記選択移動入力部を有効な状態とし、パラメータ操作エリアを第一色とせずに、選択操作エリアを第二色とし、初期の表示状態から、入力対象エリアに直接入力されるパラメータが入力項目として設定された表示状態への移行に伴い、前記パラメータ直接入力部を有効な状態とし、選択操作エリアを第二色とせずに、パラメータ操作エリアを第一色とし、前記第一制御手段によって、入力対象エリアに直接入力されるパラメータがデフォルトの入力項目として設定された前記第三種の操作画面が、前記表示部に表示される場合、初期の表示状態のタイミングでは、前記パラメータ直接入力部を有効な状態とし、選択操作エリアを第二色とせずに、パラメータ操作エリアを第一色とし、初期の表示状態から、選択対象エリアに対応するパラメータ候補が表すパラメータが入力項目として設定された表示状態への移行に伴い、前記選択移動入力部を有効な状態とし、パラメータ操作エリアを第一色とせずに、選択操作エリアを第二色とする、ようにしてもよい。これによれば、ユーザに、操作画面の操作に用いる操作部を、スムーズに理解させることが可能で、選択移動入力部における選択操作エリアとは異なる部分又はパラメータ直接入力部におけるパラメータ操作エリアとは異なる部分を誤って操作してしまうといったことを防止することができる。
【００１２】
また、前記操作部は、前記第一操作画面と前記第二操作画面とを含む操作画面であって、前記表示部に表示中の表示中操作画面を、前記表示中操作画面が表示される１つ前の操作画面に戻す操作、又は、前記表示中操作画面を、メインとされる操作画面に戻す操作であって、選択対象エリア及び入力対象エリアとは異なる操作エリアに対して入力される遷移操作を受け付ける遷移指示入力部を含み、前記遷移指示入力部は、前記第二制御手段によって、前記選択移動入力部が有効な状態とされている場合と、前記第二制御手段によって、前記パラメータ直接入力部が有効な状態とされている場合と、で遷移操作を受け付けることができる有効な状態とされる、ようにしてもよい。これによれば、操作画面が遷移した場合に１つ前の操作画面に戻るための指令を入力し、又は、複数の操作画面のうち、メインとされる操作画面にジャンプするための指令を入力することができる。
【００１３】
また、前記操作部は、発光体と、第一色の光を透過し、前記パラメータ直接入力部におけるパラメータ操作エリアに対応する第一スリットと、第二色の光を透過し、前記選択移動入力部における選択操作エリアに対応する第二スリットと、が形成されたパネルと、によって形成され、前記第二制御手段は、前記選択移動入力部を有効な状態とする場合、第二色の光が発光される状態で前記発光体を発光させ、前記パラメータ直接入力部を有効な状態とする場合、第一色の光が発光される状態で前記発光体を発光させる、ようにしてもよい。このとき、前記第一スリットは、パラメータ操作エリアを形成し、前記第二スリットは、選択操作エリアを形成し、選択操作エリアとパラメータ操作エリアの各位置は重なり合う、ようにしてもよい。これによれば、発光体による光の色を、第二色とすると、パネルに、選択操作エリアを表示させ、発光体による光の色を、第一色とすると、パネルに、パラメータ操作エリアを表示させることができる。
【００１４】
また、前記第二制御手段は、前記選択移動入力部を有効な状態とする場合、選択操作エリアを第二色で点滅させ、所定時間経過したタイミングで、選択操作エリアを第二色で点灯させた状態とし、前記パラメータ直接入力部を有効な状態とする場合、パラメータ操作エリアを第一色で点滅させ、所定時間経過したタイミングで、パラメータ操作エリアを第一色で点灯させた状態とし、前記第一制御手段は、前記第二制御手段によって、前記選択移動入力部が有効な状態とされる場合、第二色で点滅する選択操作エリアと同期したタイミングで、選択画像を第二色と同一色又は同系色で点滅させ、第二色で点灯する選択操作エリアと同期したタイミングで、点滅する選択画像を第二色と同一色又は同系色で点灯し、前記第二制御手段によって、前記パラメータ直接入力部が有効な状態とされる場合、第一色で点滅するパラメータ操作エリアと同期したタイミングで、入力対象エリアを第一色と同一色又は同系色で点滅させ、第一色で点灯するパラメータ操作エリアと同期したタイミングで、点滅する入力対象エリアを第一色と同一色又は同系色で点灯する、ようにしてもよい。これによれば、ユーザに、操作画面の操作に用いる操作部を、さらに好適に理解させることができる。
【００１５】
本発明の他の側面は、上記の何れか１つのパラメータ入力装置を備え、前記パラメータ入力装置で入力されたパラメータに従った画像形成処理を実行する、画像形成装置である。これによれば、画像形成処理のためのパラメータを好適に入力することが可能な画像形成装置とすることができる。
【発明の効果】
【００１６】
本発明によれば、パラメータの入力を好適に行うことができる、パラメータ入力装置及び画像形成装置を得ることができる。
【図面の簡単な説明】
【００１７】
【図１】多機能装置の概略構成を示すブロック図である。
【図２】パラメータ入力処理のフローチャート（その１）である。
【図３】操作画面と、静電パネルに表示される矢印キー操作部又はテンキー操作部とを説明する図である。（Ａ）は、操作画面がメニュー画面である場合の一例を示す図である。（Ｂ）は、操作画面が消耗品情報に関する操作画面である場合の一例を示す図である。（Ｃ）は、操作画面がコピー枚数設定に関する操作画面である場合の一例を示す図である。
【図４】図３（Ａ）において、「コピー設定」が選択された場合における、操作画面の遷移と、静電パネルに表示される矢印キー操作部又はテンキー操作部との対応を説明する図である。
【図５】パラメータ入力処理のフローチャート（その２）である。
【発明を実施するための形態】
【００１８】
本発明を実施するための実施形態について、図面を用いて説明する。本発明は、以下に記載の構成に限定されるものではなく、同一の技術的思想において種々の構成を採用することができる。例えば、以下に示す構成の一部は、省略し又は他の構成等に置換してもよい。また、他の構成を含むようにしてもよい。
【００１９】
＜多機能装置＞
多機能装置１０について、図１等を参照して説明する。多機能装置１０は、画像形成装置であって、例えば、小型のデジタル複合機である。多機能装置１０は、例えば、プリント機能、スキャナ機能、コピー機能及びファクシミリ機能を備える。多機能装置１０では、プリント機能、コピー機能及びファクシミリ機能（受信）に基づき、画像形成処理が実行され、記録用紙に画像が形成（プリント）される。多機能装置１０では、スキャナ機能及びファクシミリ機能（送信）に基づき、画像形成処理が実行され、読み取られた画像に対応した画像データが形成される。多機能装置１０で実行される画像形成処理は、後述するパラメータ入力処理（図２及び図５参照）によって入力され、設定されたパラメータに従い実行される。
【００２０】
多機能装置１０は、図１に示すように、ＣＰＵ２０と、ＲＯＭ２２と、ＲＡＭ２４と、表示部２６と、ボタンキー２８と、静電パネル３０と、プリンタ部３２と、スキャナ部３４と、ファクシミリ部３６と、接続インターフェース（以下、「接続Ｉ／Ｆ」という）３８とを備える。ＣＰＵ２０は、演算処理を実行する。ＲＯＭ２２は、多機能装置１０を制御するためのコンピュータプログラム等を記憶する。ＲＯＭ２２に記憶されたコンピュータプログラムには、パラメータ入力処理のためのコンピュータプログラムが含まれる。ＲＡＭ２４は、ＣＰＵ２０がＲＯＭ２２に記憶されたコンピュータプログラムを実行する際に利用される記憶領域である。ＣＰＵ２０は、例えば、ＲＯＭ２２に記憶された所定のコンピュータプログラムを、ＲＡＭ２４上で実行する等して、多機能装置１０を制御する。多機能装置１０では、ＣＰＵ２０が、ＲＡＭ２４上で、例えば、パラメータ入力処理のためのコンピュータプログラムを実行することで、パラメータ入力処理のための各種の機能手段が構成される。
【００２１】
表示部２６は、所定の情報を表示する。例えば、表示部２６には、図３〜図５に示す操作画面が、表示される。表示部２６は、タッチパネル機能を有する。ユーザは、表示部２６に表示された操作画面にタッチし、多機能装置１０に、所定の指令を入力することができる。例えば、表示部２６によるタッチパネル機能によって、操作画面に含まれる入力項目を選択することができる。ボタンキー２８は、ユーザからの所定の指令の入力を受け付ける。多機能装置１０において、ボタンキー２８は、複数のボタンキーによって構成される。
【００２２】
静電パネル３０は、ユーザからの所定の指令の入力を受け付ける操作部である。静電パネル３０は、既に実用化された静電パネルと同様の構成を有する。静電パネル３０では、例えば数値、文字及び記号等を表すスリットを、パネル背面から、ＬＥＤ等の発光体で照らすことで、静電パネル３０の表面に、数値、文字及び記号等で構成される操作キーが表示される。スリットには、特定の波長の光のみを透過させる部材が用いられる。静電パネル３０は、発光される色が異なる複数の発光体を備える。例えば、ＲＧＢの３色の発光体を備える。発光体による光の色を、例えば橙色（ＲＧＢ（２００，１５３，０））とすると、静電パネル３０には、矢印キー操作部３１０（詳細は図３（Ａ）等参照）が表示される。これに含まれる上下左右の矢印キー、「ＯＫ」、「−」及び「＋」は、橙色に発光する。発光体による光の色を、例えば青色（ＲＧＢ（０，０，２５５））とすると、静電パネル３０には、テンキー操作部３３０（詳細は図３（Ｃ）等参照）が表示される。テンキー操作部３３０では、これに含まれる「１」〜「０」、「＊」、「＃」、「ＯＫ」及び「クリア」は、青色に発光する。以下、矢印キー操作部３１０を表示するための色は、橙色とし、テンキー操作部３３０を表示するための色は、青色であるとして説明する。なお、静電パネル３０には、戻るキー３５０と、ホームキー３５２とが、表示される。戻るキー３５０は、操作画面が遷移した場合、１つ前の操作画面に戻るための指令を入力するためのものである。ホームキー３５２は、複数の操作画面のうち、メインとされる操作画面（メイン画面）にジャンプするための指令を入力するためのものである。
【００２３】
プリンタ部３２は、記録用紙等に、所定の画像をプリントするための機構である。プリンタ部３２は、インクジェット方式又はレーザ方式等のプリント機構によって構成される。スキャナ部３４は、ＣＩＳ方式又はＣＣＤ方式のスキャナ機構によって構成される。ファクシミリ部３６は、公衆回線網（不図示）に接続される。ファクシミリ部３６は、スキャナ部３４で読み取られた画像に対応した画像データを、公衆回線網を介して、相手先装置に送信し、公衆回線網を介して、相手先装置から送信される画像データを受信する。受信された画像データは、プリンタ部３２でプリントされる。接続Ｉ／Ｆ３８は、多機能装置１０を、パーソナルコンピュータ等の外部装置に接続し、外部装置とデータ通信を行うためのインターフェースである。
【００２４】
＜パラメータ入力処理＞
パラメータ入力処理について、図２〜図５を参照して説明する。多機能装置１０では、電源がオンされると、表示部２６に、所定の操作画面が表示される。パラメータ入力処理は、電源がオンされた状態で、表示部２６に所定の操作画面が表示され、表示されている操作画面の遷移を伴う指令が、表示部２６のタッチパネル機能、又は、静電パネル３０に表示されている矢印キー操作部３１０若しくはテンキー操作部３３０等を介して入力された場合等に実行される。操作画面の遷移を伴う指令が入力されたことを検出したＣＰＵ２０は、新たな操作画面が、表示部２６に表示されるよう制御する（Ｓ１００）。
【００２５】
Ｓ１００について、図３（Ａ）に示すメニュー画面が、表示部２６に表示されている場合を例に説明する。この説明に際し、先ず、図３（Ａ）に示すメニュー画面について説明する。メニュー画面は、パラメータ入力の対象となる入力項目として、「コピー枚数」と、「コピー設定」と、「消耗品情報」とを含む。「コピー枚数」は、コピー機能の実行において、コピーする枚数を設定する際に、選択される。「コピー設定」は、コピー機能の詳細を設定する際に、選択される。「消耗品情報」は、多機能装置１０で消耗される消耗品の残量（寿命）を表示する際に、選択される。なお、メニュー画面が表示される場合、静電パネル３０には、矢印キー操作部３１０が表示される。この点に関する説明は、後述する。
【００２６】
図３（Ａ）で「消耗品情報」のエリアの外縁を囲む太線は、矢印キー操作部３１０の矢印キーが押下され、「消耗品情報」が、選択の候補として指定されていることを示すものである。多機能装置１０では、選択の候補として指定されていることを示す情報は、矢印キー操作部３１０と、同一又は同系の橙色とされる（図２のＳ１１６、図５のＳ２０８，Ｓ２１８参照）。ユーザは、矢印キー操作部３１０の上下矢印キーを操作し、メニュー画面に含まれる「コピー枚数」、「コピー設定」及び「消耗品情報」等の中の何れかを、選択の候補とする。その後、ユーザは、「ＯＫ」を押下し、選択を確定する。この他、ユーザは、メニュー画面における入力項目の選択を、表示部２６のタッチパネル機能を用いて行うこともできる。例えば、「消耗品情報」を選択する場合、ユーザは、「消耗品情報」と表示された部分を、押下する。なお、図３（Ａ）に示す状態において、ユーザが、さらに、矢印キー操作部３１０の下矢印キーを押下した場合、例えば、メニュー画面内の表示がスクロールし、別の入力項目が表示されるようにしてもよい。この他、「コピー枚数」、「コピー設定」及び「消耗品情報」とは別の入力項目を含む内容に切り替わるようにしてもよい。
【００２７】
メニュー画面に含まれる何れか１つの入力項目が、上述したようにして選択された場合、ＣＰＵ２０は、選択された入力項目を特定し、これに対応した操作画面が、表示部２６に、新たに表示されるよう制御する。例えば、「消耗品情報」が選択された場合、ＣＰＵ２０は、消耗品情報を特定し、図３（Ｂ）に示すような消耗品情報に関する操作画面が、表示部２６に表示されるよう制御する。この他、「コピー枚数」が選択された場合、ＣＰＵ２０は、コピー枚数を特定し、図３（Ｃ）に示すようなコピー枚数設定に関する操作画面が、表示部２６に表示されるよう制御する。「コピー設定」が選択された場合、ＣＰＵ２０は、コピー設定を特定し、図４上段に示すようなコピー設定に関する操作画面が、表示部２６に表示されるよう制御する。即ち、表示部２６の表示は、Ｓ１００において、メニュー画面から、前述した何れかの操作画面に遷移する。
【００２８】
Ｓ１００を実行した後、ＣＰＵ２０は、新たに表示された操作画面を対象として、入力項目を検索する（Ｓ１０２）。その後、ＣＰＵ２０は、検索した入力項目の数について、判断する（Ｓ１０４）。例えば、Ｓ１００で、新たに表示された操作画面が、図３（Ｂ）に示すような消耗品情報に関する操作画面であったとする。消耗品情報に関する操作画面は、消耗品情報として、プリンタ部３２に含まれるブラック、シアン、マゼンタ及びイエローの各色のインク又はトナーの残量を示すものである。消耗品情報に関する操作画面は、選択し得る幾つかの入力項目若しくは入力するパラメータを表す幾つかのパラメータ候補を含み、又は、特定のパラメータが入力されるような操作画面ではない。このような場合、Ｓ１０２で、入力項目は検索されない。従って、ＣＰＵ２０は、入力項目はないとして（Ｓ１０４：なし）、処理をＳ１０６に移行する。
【００２９】
Ｓ１０６で、ＣＰＵ２０は、静電パネル３０で、矢印キー操作部３１０及びテンキー操作部３３０を非表示とする。即ち、ＣＰＵ２０は、矢印キー操作部３１０及びテンキー操作部３３０を表示させるために必要な発光体の発光を制御しない。そのため、矢印キー操作部３１０のためのスリットは、橙色の光で照らされず、また、テンキー操作部３３０のためのスリットも、青色の光で照らされない。このようにして、矢印キー操作部３１０及びテンキー操作部３３０は、非表示とされる。Ｓ１００で、図３（Ｂ）に示すような消耗品情報に関する操作画面が表示され、Ｓ１０６が実行される場合、静電パネル３０において、矢印キー操作部３１０及びテンキー操作部３３０は、同図に示すように、非表示となる。ユーザが、静電パネル３０を介して、不要な入力を行うことを防止することができる。ＣＰＵ２０は、Ｓ１０６を実行した後、所定のタイミングで、処理をＳ１００に戻す。
【００３０】
図３（Ｂ）に示すような消耗品情報に関する操作画面を、表示部２６に表示した後、所定の時間が経過し、又は、ユーザがホームキー３５２を押下した場合、ＣＰＵ２０は、処理をＳ１００に戻し、表示部２６での表示を、例えば、メイン画面に遷移させる。この他、図３（Ｂ）に示すような消耗品情報に関する操作画面を、表示部２６に表示した後、ユーザが、戻るキー３５０を押下した場合、ＣＰＵ２０は、処理をＳ１００に戻し、表示部２６での表示を、図３（Ａ）に示すようなメニュー画面に遷移させる。ＣＰＵ２０は、Ｓ１００を実行した後、Ｓ１０２以降の処理を順次実行する。
【００３１】
説明をＳ１０４に戻す。例えば、Ｓ１００で、図３（Ｃ）に示すようなコピー枚数設定に関する操作画面が、新たに表示されたとする。コピー枚数設定に関する操作画面は、コピー枚数に関するパラメータを入力するための入力対象エリア（図３（Ｃ）で、「枚数」と記載の部分、及び、太線枠（空欄）参照）を１つ含む。従って、ＣＰＵ２０は、入力項目が１つ検出されたとして（Ｓ１０４：１つ）、処理をＳ１０８に移行する。
【００３２】
Ｓ１０８で、ＣＰＵ２０は、Ｓ１００で、新たに表示された操作画面に対する入力方法を判断する。入力方法としては、カーソル移動入力と、数値入力とがある。カーソル移動入力は、矢印キー操作部３１０を用いて、複数の入力項目又はパラメータ候補の中から、何れか１つを選択する入力方法である。数値入力は、テンキー操作部３３０を用いて、具体的な数値を直接入力する入力方法である。例えば、Ｓ１００で、図３（Ｃ）に示すようなコピー枚数設定に関する操作画面が、新たに表示されたとする。この操作画面では、コピー枚数を指定する具体的な数値が、テンキー操作部３３０を用いて入力される。そのため、ＣＰＵ２０は、入力方法は数値入力であると判断し（Ｓ１０８：数値入力）、処理をＳ１１０に移行する。
【００３３】
Ｓ１１０で、ＣＰＵ２０は、静電パネル３０に、テンキー操作部３３０を点滅させた状態で表示させる。即ち、ＣＰＵ２０は、テンキー操作部３３０を表示させるために必要な青色の光が発光されるよう、各色の発光体の発光を制御する。このとき、ＣＰＵ２０は、発光体を点滅させるよう制御する。テンキー操作部３３０のためのスリットは、青色の光で、一定間隔毎に照らされる。点滅は、予め定めた一定時間だけ繰り返される。ＣＰＵ２０は、一定時間経過した後、発光体を点灯状態とする。これによって、テンキー操作部３３０は、点灯した状態で表示される。テンキー操作部３３０が点滅状態である場合、テンキー操作部３３０に対するユーザ操作を無効とし、受け付けないようにしてもよい。
【００３４】
続けて、ＣＰＵ２０は、表示部２６に表示されることとなった操作画面のうち、パラメータを入力するための入力対象エリアを、テンキー操作部３３０と同一又は同系の青色とし、さらに、入力対象エリアを、テンキー操作部３３０と同期したタイミングで点滅させる（Ｓ１１２）。図３（Ｃ）に基づけは、ＣＰＵ２０は、コピー枚数に関するパラメータを入力するための入力対象エリアを、テンキー操作部３３０と同一又は同系の青色とし、さらに、テンキー操作部３３０と同期したタイミングで点滅させる。同一又は同系の青色とされる入力対象エリアは、例えば、図３（Ｃ）に基づけば、「枚数」と記載の部分、及び、太線枠（空欄）の少なくとも何れか一方である。
【００３５】
点滅は、テンキー操作部３３０と同じく、予め定めた一定時間だけ繰り返され、テンキー操作部３３０と同期したタイミングで点灯状態となる。点灯状態となり、テンキー操作部３３０が有効となった状態で、ユーザは、テンキー操作部３３０を介して、所望するパラメータを入力し、「ＯＫ」を押下する。図３（Ｃ）に基づけば、ユーザは、コピー枚数に関するパラメータとして、例えば「２」を入力する。ＣＰＵ２０は、図３（Ｃ）に記載の太線枠（空欄）に、入力された「２」が表示されるよう制御する。これによって、太線枠内に「２」が表示される。ユーザは、入力した数値を修正する場合、「クリア」を押下し、所望する数値を入力し直す。ＣＰＵ２０は、「ＯＫ」が押下された時点で、入力されている数値を取得し、取得した数値を、パラメータとして、多機能装置１０に設定する（Ｓ１１３）。例えば、ＣＰＵ２０は、入力された「２」を取得し、コピー枚数に関するパラメータとして、多機能装置１０に設定する。
【００３６】
Ｓ１１３を実行した後、ＣＰＵ２０は、処理をＳ１００に戻し、表示部２６での表示を、例えば、戻るキー３５０を押下した場合と同様、１つ前の操作画面に戻す。例えば、図３（Ｃ）に示すようなコピー枚数設定に関する操作画面が表示されていた場合、図３（Ａ）に示すようなメニュー画面が、表示される。メイン画面にジャンプするようにしてもよい。
【００３７】
説明をＳ１０４に戻す。Ｓ１００で、図３（Ａ）に示すようなメニュー画面が表示されたとする。メニュー画面では、「コピー枚数」、「コピー設定」及び「消耗品情報」の何れか１つが、矢印キー操作部３１０を用いて選択される。このような場合、ＣＰＵ２０は、入力項目が１つ検出されたとして（Ｓ１０４：１つ）、処理をＳ１０８に移行し、続けて、入力方法はカーソル移動入力であると判断する（Ｓ１０８：カーソル移動入力）。この他、図４上段に示すようなコピー設定に関する操作画面が、表示部２６に表示された状態で、入力項目として、「用紙サイズ」が選択されたとする。この場合、Ｓ１００では、図４中段に示すような用紙サイズ設定に関する操作画面が、新たに表示される。この操作画面は、入力するパラメータを表すパラメータ候補としての「Ａ４」、「Ｂ５」及び「レター」と、入力項目としての「ユーザ設定」を含み、パラメータ候補又は入力項目の中から何れか１つが、矢印キー操作部３１０を用いて選択される。従って、このような場合も、ＣＰＵ２０は、入力項目が１つ検出されたとして（Ｓ１０４：１つ）、処理をＳ１０８に移行し、続けて、入力方法はカーソル移動入力であると判断する（Ｓ１０８：カーソル移動入力）。
【００３８】
入力方法がカーソル移動入力であると判断されると（Ｓ１０８：カーソル移動入力）、ＣＰＵ２０は、静電パネル３０に、矢印キー操作部３１０を点滅させた状態で表示させる（Ｓ１１４）。即ち、ＣＰＵ２０は、矢印キー操作部３１０を表示させるために必要な橙色の光が発光されるよう、各色の発光体の発光を制御する。このとき、ＣＰＵ２０は、発光体を点滅させるよう制御する。矢印キー操作部３１０のためのスリットは、橙色の光で、一定間隔毎に照らされる。点滅は、予め定めた一定時間だけ繰り返される。ＣＰＵ２０は、一定時間経過した後、発光体を点灯状態とする。これによって、矢印キー操作部３１０は、点灯した状態で表示される。矢印キー操作部３１０が点滅状態である場合、矢印キー操作部３１０に対するユーザ操作を無効とし、受け付けないようにしてもよい。
【００３９】
続けて、ＣＰＵ２０は、表示部２６に表示されることとなった操作画面に含まれる、入力項目に対応する選択対象エリア、及び／又は、パラメータ候補に対応する選択対象エリアのうち、何れか１つの選択対象エリアを囲む枠線を、矢印キー操作部３１０と同一又は同系の橙色とし、さらに、選択対象エリアを、矢印キー操作部３１０と同期したタイミングで点滅させる（Ｓ１１６）。操作画面が新たに表示された初期状態において、同一又は同系の橙色とされる選択対象エリアを囲む枠線は、例えば、表示順が１番上であるものとされる。例えば、図３（Ａ）に基づけば、ＣＰＵ２０は、表示順が１番上である「コピー枚数」に対応した選択対象エリアを囲む枠線を、矢印キー操作部３１０と同一又は同系の橙色とし、さらに、矢印キー操作部３１０と同期したタイミングで点滅させる。図４中段に基づけば、ＣＰＵ２０は、表示順が１番上である「Ａ４」に対応した選択対象エリアを囲む枠線を、矢印キー操作部３１０と同一又は同系の橙色とし、さらに、矢印キー操作部３１０と同期したタイミングで点滅させる。同一又は同系の橙色とされる領域は、選択対象エリア内としてもよい。点滅は、矢印キー操作部３１０と同じく、予め定めた一定時間だけ繰り返され、矢印キー操作部３１０と同期したタイミングで点灯状態となる。
【００４０】
点灯状態となり、矢印キー操作部３１０が有効となった状態で、ユーザは、所望の入力項目又はパラメータ候補を選択するため、矢印キー操作部３１０を操作する。例えば、ユーザは、矢印キー操作部３１０の上矢印キー又は下矢印キーを押下する。ＣＰＵ２０は、矢印キー操作部３１０の操作に対応させ、選択対象エリアを囲む枠線が、移動するよう制御する。ユーザは、操作画面に含まれる何れか１つの入力項目又はパラメータ候補を、選択の候補とし、「ＯＫ」を押下する等して、選択を確定させる。例えば、入力項目が選択された場合、ＣＰＵ２０は、選択された入力項目を特定する（Ｓ１１７）。続けて、ＣＰＵ２０は、処理をＳ１００に戻し、特定された入力項目に対応した操作画面が、表示部２６に、新たに表示されるよう制御する。例えば、図３（Ａ）に示すようなメニュー画面が表示され、「コピー設定」が選択されたとする。このような場合、ＣＰＵ２０は、コピー設定を特定した上で、処理をＳ１００に戻し、表示部２６の表示を、図４上段に示すようなコピー設定に関する操作画面に遷移させる。
【００４１】
これに対し、パラメータ候補が選択された場合、ＣＰＵ２０は、選択されたパラメータ候補を、パラメータとして、多機能装置１０に設定する（Ｓ１１７）。例えば、図４中段に示すような用紙サイズ設定に関する操作画面が表示され、「Ａ４」、「Ｂ５」又は「レター」の何れかが選択されたとする。このような場合、ＣＰＵ２０は、選択された「Ａ４」、「Ｂ５」又は「レター」の何れかを、用紙サイズに関するパラメータとして、多機能装置１０に設定する。Ｓ１１７を実行した後、ＣＰＵ２０は、処理をＳ１００に戻し、表示部２６での表示を、例えば、戻るキー３５０を押下した場合と同様、１つ前の操作画面に戻す。ＣＰＵ２０は、Ｓ１００を実行した後、Ｓ１０２以降の処理を順次実行する。
【００４２】
説明を、再度、Ｓ１０４に戻す。Ｓ１０２で検索された入力項目が複数であった場合（Ｓ１０４：複数）、ＣＰＵ２０は、処理を図５のＳ２００に移行する。Ｓ１０４でこのような判断がなされる場合の一例について、図４を参照して説明する。例えば、メニュー画面で、「コピー設定」が選択され、図４上段に示すようなコピー設定に関する操作画面が、表示されたとする。この操作画面において、「用紙サイズ」が選択され、Ｓ１１７を経て、再び、Ｓ１００が実行されると、図４中段に示すような用紙サイズ設定に関する操作画面が、表示部２６に表示される。詳細は上記同様であるため、省略するが、Ｓ１０４で、ＣＰＵ２０は、入力項目は、「Ａ４」、「Ｂ５」、「レター」又は「ユーザ設定」の何れか１つであるとし（Ｓ１０４：１つ）、処理をＳ１０８に移行する。続けて、ＣＰＵ２０は、カーソル移動入力とし（Ｓ１０８：カーソル移動入力）、順次、Ｓ１１４及びＳ１１６を実行する。
【００４３】
このとき、矢印キー操作部３１０等を介して、「ユーザ設定」が選択されたとする。この場合、ＣＰＵ２０は、再度、Ｓ１００を実行し、図４下段に示すような用紙サイズのユーザ設定に関する操作画面が、表示部２６に表示されるよう制御する。用紙サイズのユーザ設定に関する操作画面は、用紙の縦サイズに関するパラメータを入力するための入力対象エリア（図４下段で、「縦（ｍｍ）」と記載の部分、及び、これと隣り合う太線枠（空欄）参照）と、用紙の横サイズに関するパラメータを入力するための入力対象エリア（図４下段で、「横（ｍｍ）」と記載の部分、及び、これと隣り合う太線枠（空欄）参照）とを含む。従って、ＣＰＵ２０は、入力項目は、用紙の縦サイズに関するパラメータと、用紙の横サイズに関するパラメータとの２つ、即ち、入力項目が複数検出されたとして（Ｓ１０４：複数）、処理を、図５のＳ２００に移行する。
【００４４】
Ｓ２００で、ＣＰＵ２０は、検索された入力項目のうち、デフォルトとして設定された入力項目に対する入力方法を判断する。デフォルトとして設定された入力項目は、操作画面が表示されたときに処理対象とされる入力項目である。この判断は、上述した図２のＳ１０８と同様の手法にて行われる。例えば、Ｓ１００で、図４下段に示すような用紙サイズのユーザ設定に関する操作画面が、新たに表示されたとする。この操作画面において、デフォルトとして設定された入力項目は、用紙の縦サイズに関するパラメータである。用紙の横サイズに関するパラメータは、後述する、他の入力項目とされる。用紙の縦サイズ及び横サイズは、数値によって示され、テンキー操作部３３０を用いて入力される。そのため、ＣＰＵ２０は、入力方法は数値入力であると判断し（Ｓ２００：数値入力）、処理をＳ２０２に移行する。Ｓ２０２で、ＣＰＵ２０は、静電パネル３０に、テンキー操作部３３０を点滅させた状態で表示させる。Ｓ２０２は、図２のＳ１１０と同様の処理であり、上記同様の手法にて行われる。Ｓ２０２においても、Ｓ１１０と同様、一定時間経過した後、テンキー操作部３３０は、点灯した状態で表示される。Ｓ２０２に関し、この他の説明は、省略する。
【００４５】
続けて、ＣＰＵ２０は、表示部２６に表示されることとなった操作画面のうち、パラメータを入力するための入力対象エリアを、テンキー操作部３３０と同一又は同系の青色とし、さらに、入力対象エリアを、テンキー操作部３３０と同期したタイミングで点滅させる（Ｓ２０４）。同一又は同系の青色とされる入力対象エリアは、例えば図４下段に基づけば、「縦（ｍｍ）」と記載の部分、及び、太線枠（空欄）の少なくとも何れか一方である。点滅を点灯とするタイミングは、図２のＳ１１２に関連して上述した場合と同様である。この点に関する説明は、省略する。点灯状態となり、テンキー操作部３３０が有効となった状態で、ユーザは、テンキー操作部３３０を介して、所望するパラメータを入力し、「ＯＫ」を押下する。図４下段に基づけば、ユーザは、用紙の縦サイズに関するパラメータを入力する。例えば、「１２０」を入力する。ＣＰＵ２０は、図４下段に記載の太線枠（空欄）に、入力された「１２０」が表示されるよう制御する。これによって、太線枠内に「１２０」が表示される。ユーザは、入力した数値を修正する場合、「クリア」を押下し、所望する数値を入力し直す。ＣＰＵ２０は、「ＯＫ」が押下された時点で、入力されている数値を取得し、取得した数値を、パラメータ（デフォルトパラメータ）として、多機能装置１０に設定する（Ｓ２０５）。例えば、ＣＰＵ２０は、入力された「１２０」を取得し、用紙の縦サイズに関するパラメータとして、多機能装置１０に設定する。
【００４６】
Ｓ２００の判断について、説明を続ける。例えば、デフォルトとして設定された入力項目が、複数のパラメータ候補の中から、何れか１つのパラメータ候補を選択するタイプであった場合、ＣＰＵ２０は、入力方法はカーソル移動入力であると判断する（Ｓ２００：カーソル移動入力）。その後、ＣＰＵ２０は、処理をＳ２０６に移行し、Ｓ２０６及びＳ２０８を、順次、実行する。Ｓ２０６及びＳ２０８は、図２のＳ１１４及びＳ１１６と同様の処理であり、上記同様の手法にて行われる。ただし、Ｓ２０８は、デフォルトとして設定された入力項目の範疇での処理である。そのため、その範疇において、選択対象エリアを囲む枠線等が、Ｓ１１６同様、矢印キー操作部３１０と同一又は同系の橙色とされ、さらに、矢印キー操作部３１０と同期したタイミングで点滅される。最初に、橙色とされ、点滅される選択対象エリアについても、Ｓ１１６と同様である。
【００４７】
Ｓ２０８を実行して、パラメータ候補が取得された場合、ＣＰＵ２０は、取得されたパラメータ候補を、処理の対象となっている所定の操作画面を表示させる要因となった入力項目のうちの１つのパラメータ（デフォルトパラメータ）として、多機能装置１０に設定する（Ｓ２０９）。その後、ＣＰＵ２０は、表示部２６のタッチパネル機能を介して、他の入力項目が処理対象とされるまで、Ｓ２１０に移行しない。なお、Ｓ２０６が実行され、静電パネル３０に矢印キー操作部３１０が表示されている場合、他の入力項目を処理対象とすることは、矢印キー操作部３１０を用いて行うこともできる。この状態において、他の入力項目が処理対象とされた場合、ＣＰＵ２０は、他の入力項目の入力方法を判断する（Ｓ２１０）。この判断は、上述した図２のＳ１０８等と同様の手法にて行われる。
【００４８】
例えば、Ｓ１００で、図４下段に示すような用紙サイズのユーザ設定に関する操作画面が、新たに表示され、既に、用紙の縦サイズが入力され、上述したように、他の入力項目である用紙の横サイズが処理対象とされていたとする。上述した通り、用紙の横サイズは、数値によって示され、テンキー操作部３３０を用いて入力される。そのため、ＣＰＵ２０は、入力方法は数値入力であると判断し（Ｓ２１０：数値入力）、処理をＳ２１２に移行する。Ｓ２１２で、ＣＰＵ２０は、静電パネル３０に、テンキー操作部３３０を、点滅させた状態で表示させる。Ｓ２１２は、図２のＳ１１０と同様の処理であり、上記同様の手法にて行われる。Ｓ２１２においても、Ｓ１１０と同様、一定時間経過した後、テンキー操作部３３０は、点灯した状態で表示される。Ｓ２００で、入力方法が、カーソル移動入力であると判断されていた場合（Ｓ２００：カーソル移動入力）、静電パネル３０には、矢印キー操作部３１０が表示されている。このような場合、Ｓ２１２で、ＣＰＵ２０は、静電パネル３０の表示を、矢印キー操作部３１０からテンキー操作部３３０に変更するよう制御する。即ち、ＣＰＵ２０は、発光体による光の色が、橙色から青色となるよう、各色の発光体の発光を制御する。Ｓ２１２に関し、この他の説明は、省略する。
【００４９】
続けて、ＣＰＵ２０は、表示部２６に表示されることとなった操作画面のうち、パラメータを入力するための入力対象エリアを、テンキー操作部３３０と同一又は同系の青色とし、さらに、入力対象エリアを、テンキー操作部３３０と同期したタイミングで点滅させる（Ｓ２１４）。同一又は同系の青色とされる入力対象エリアは、例えば図４下段に基づけば、「横（ｍｍ）」と記載の部分、及び、太線枠（空欄）の少なくとも何れか一方である。点滅を点灯とするタイミングは、図２のＳ１１２に関連して上述した場合と同様である。この点に関する説明は、省略する。点灯状態となり、テンキー操作部３３０が有効となった状態で、ユーザは、テンキー操作部３３０を介して、所望するパラメータを入力し、「ＯＫ」を押下する。図４下段に基づけば、ユーザは、用紙の横サイズに関するパラメータを入力する。例えば、「１００」を入力する。ＣＰＵ２０は、図４下段に記載の太線枠（空欄）に、入力された「１００」が表示されるよう制御する。これによって、太線枠内に「１００」が表示される。ユーザは、入力した数値を修正する場合、「クリア」を押下し、所望する数値を入力し直す。ＣＰＵ２０は、「ＯＫ」が押下された時点で、入力されている数値を取得し、取得した数値を、パラメータ（他のパラメータ）として、多機能装置１０に設定する（Ｓ２１５）。例えば、ＣＰＵ２０は、入力された「１００」を取得し、用紙の横サイズに関するパラメータとして、多機能装置１０に設定する。
【００５０】
Ｓ２１０の判断について、説明を続ける。例えば、他の入力項目が、複数のパラメータ候補の中から、何れか１つのパラメータ候補を選択するタイプであった場合、ＣＰＵ２０は、入力方法はカーソル移動入力であると判断する（Ｓ２１０：カーソル移動入力）。その後、ＣＰＵ２０は、処理をＳ２１６に移行し、Ｓ２１６及びＳ２１８を、順次、実行する。Ｓ２１６及びＳ２１８は、図２のＳ１１４及びＳ１１６と同様の処理であり、上記同様の手法にて行われる。ただし、Ｓ２００で、入力方法が、数値入力であると判断されていた場合（Ｓ２００：数値入力）、静電パネル３０には、テンキー操作部３３０が表示されている。このような場合、Ｓ２１６で、ＣＰＵ２０は、静電パネル３０の表示を、テンキー操作部３３０から矢印キー操作部３１０に変更するよう制御する。即ち、ＣＰＵ２０は、発光体による光の色が、青色から橙色となるよう、各色の発光体の発光を制御する。また、Ｓ２１８は、他の入力項目の範疇での処理である。そのため、その範疇において、選択対象エリアを囲む枠線等が、Ｓ１１６同様、矢印キー操作部３１０と同一又は同系の橙色とされ、さらに、矢印キー操作部３１０と同期したタイミングで点滅される。最初に、橙色とされ、点滅される選択対象エリアについても、Ｓ１１６と同様である。
【００５１】
Ｓ２１８を実行し、パラメータ候補が取得された場合、ＣＰＵ２０は、取得されたパラメータ候補を、処理の対象となっている所定の操作画面を表示させる要因となった入力項目のうちの他の１つのパラメータ（他のパラメータ）として、多機能装置１０に設定する（Ｓ２１９）。Ｓ２１５又はＳ２１９を実行した後、ＣＰＵ２０は、表示部２６での表示を、例えば、戻るキー３５０を押下した場合と同様、１つ前の操作画面に戻す。メイン画面又はメニュー画面にジャンプするようにしてもよい。この点に関する説明は、上記同様であり、省略する。ＣＰＵ２０は、多機能装置１０の電源がオフされるまで、上述したように、パラメータ入力処理を実行する。
【００５２】
＜本実施形態による効果＞
上述したパラメータ入力処理によれば、新たに表示された操作画面を対象として、入力方法が判断される（図２のＳ１０８、図５のＳ２００，Ｓ２１０参照）。その上で、新たに表示された操作画面を操作するための操作部として、矢印キー操作部３１０又はテンキー操作部３３０が、静電パネル３０に表示される（図２のＳ１１０，Ｓ１１４、図５のＳ２０２，Ｓ２０６，Ｓ２１２，Ｓ２１６参照）。そのため、ユーザは、操作画面の操作に用いる操作部を、スムーズに理解することが可能で、例えばボタンキー２８を誤って押下（操作）してしまうといったことを防止することができる。
【００５３】
新たに表示された操作画面において、入力対象エリアと、テンキー操作部３３０とが、同一又は同系の青色とされ、さらに、同期して点滅される（図２のＳ１１０及びＳ１１２、図５のＳ２０２及びＳ２０４，Ｓ２１２及びＳ２１４）。選択対象エリアと、矢印キー操作部３１０とが、同一又は同系の橙色とされ、さらに、同期して点滅される（図２のＳ１１４及びＳ１１６、図５のＳ２０６及びＳ２０８，Ｓ２１６及びＳ２１８）。そのため、入力対象エリア及びテンキー操作部３３０の視認態様（表示スタイル）と、選択対象エリア及び矢印キー操作部３１０の視認態様（表示スタイル）とを、共通とすることができる。ユーザは、操作画面の操作に用いる操作部を、さらに好適に理解することができる。
【００５４】
＜変形例＞
本実施形態の構成は、次のようにしてもよい。このような構成によっても、上記同様の有利な効果を得ることができる。
【００５５】
（１）上記では、静電パネル３０が備える発光部による光の色を変化させることで、静電パネル３０において、矢印キー操作部３１０と、テンキー操作部３３０とが表示されるようにした。静電パネル３０を備えず、バックライト付きのボタンキーを備える多機能装置であってもよい。この場合、多機能装置は、矢印キー操作部３１０及びテンキー操作部３３０と同等の機能をそれぞれ有する複数のボタンキーを含む。例えば、上下左右の矢印キー、「１」〜「０」及び「ＯＫ」等のボタンキーを含む。この場合、ＣＰＵ２０は、静電パネル３０の場合と同じく、図２のＳ１００で、新たに表示された操作画面に合わせ、入力項目若しくはパラメータ候補の選択、又は、パラメータの入力に用いられるボタンキーが、バックライトで照らされるよう、バックライトの発光を制御する。また、ＣＰＵ２０は、操作画面の選択対象エリア又は入力対象エリアを、入力に用いられるボタンキーと同一色又は同系色で、点滅及び点灯させる。
【００５６】
（２）上記では、表示部２６に表示される操作画面が、コピー機能に関するものである場合を例に説明した。上述したパラメータ入力処理は、多機能装置１０が備える、プリント機能、スキャナ機能及びファクシミリ機能に関する操作画面を対象とすることもできる。また、静電パネル３０に表示される操作部として、矢印キー操作部３１０と、テンキー操作部３３０とを例に説明した。パラメータ入力処理は、例えば、アルファベット、平仮名、カタカナ、漢字等の文字を入力するための文字キー操作部を対象としてもよい。この場合、図２のＳ１０８、図５のＳ２００，Ｓ２１０で、さらに、入力方法が、文字入力であるかについても判断がなされ、入力方法が文字入力であると判断された場合、上記同様の手法（例えば、図２のＳ１１０、図５のＳ２０２，２１２参照）にて、静電パネル３０に、文字キー操作部が表示される。なお、テンキー操作部３３０の各数字に、所定のアルファベット等を、適宜割り当てた構成としてもよい。この場合、図２のＳ１０８、図５のＳ２００，Ｓ２１０では、入力方法が、カーソル移動入力であるか、又は、数値若しくは文字入力であるかが判断される。
【００５７】
（３）上記では、新たに表示された操作画面において、入力対象エリアと、テンキー操作部３３０とが、同一又は同系の青色とされ、さらに、同期して点滅されるようにした（図２のＳ１１０及びＳ１１２、図５のＳ２０２及びＳ２０４，Ｓ２１２及びＳ２１４）。選択対象エリアと、矢印キー操作部３１０とが、同一又は同系の橙色とされ、さらに、同期して点滅されるようにした（図２のＳ１１４及びＳ１１６、図５のＳ２０６及びＳ２０８，Ｓ２１６及びＳ２１８）。この点に関し、同一色又は同系色とする構成、又は、同期して点滅させる構成のうち、何れか一方は、省略してもよい。これとは異なる手法にて、入力対象エリア及びテンキー操作部３３０の視認態様（表示スタイル）を共通とし、選択対象エリア及び矢印キー操作部３１０との視認態様（表示スタイル）を共通としてもよい。
【符号の説明】
【００５８】
１０  多機能装置
２０  ＣＰＵ
２２  ＲＯＭ
２４  ＲＡＭ
２６  表示部
３０  静電パネル
３２  プリンタ部
３４  スキャナ部
３６  ファクシミリ部
３８  接続インターフェース（接続Ｉ／Ｆ）
３１０  矢印キー操作部
３３０  テンキー操作部
【図１】
0005782857.tif 000002
【図２】
0005782857.tif 000003
【図３】
0005782857.tif 000004
【図４】
0005782857.tif 000005
【図５】
0005782857.tif 000006